(57)【特許請求の範囲】
【請求項１】
プリント板に所望の回路構成部品を搭載し配線してなる点灯回路構体を器具本体に、絶縁部材を介して配置すると共に、点灯回路構体を金属製のカバ−にて覆い、かつ少なくとも点灯回路構体から蛍光ランプに接続されるコ−ドをカバ−のコ−ド導出用の開口部を介して導出した照明器具において、前記絶縁部材の周縁部にコ−ドブッシングを一体的に形成すると共に、コ−ドブッシングに対応するカバ−部分に切欠状の開口部を形成してなり、コ−ドをコ−ドブッシングを介して導出すると共に、カバ−による点灯回路構体の被覆状態においてコ−ドブッシングをカバ−の開口部にてほぼ囲繞することを特徴とする照明器具。
【請求項２】
所定部分に底の浅い凹部を形成し、この凹部に隣接する平坦な部分に切起状の係止部とスリットとを互いに離隔して形成すると共に、凹部に隣接し、かつ係止部，スリットの形成されていない部分にネジ孔を形成した器具本体と、器具本体の凹部と同等ないしそれより小さい目で底の浅い凹部の周縁部にフランジ部を形成すると共に、凹部に支持手段を、フランジ部に一対のコ−ド保護片よりなるコ−ドブッシングをそれぞれ一体的に形成し、かつフランジ部に、器具本体のスリット及びネジ孔に対応するほぼＬ字状の係止爪及びネジの挿入孔を形成した絶縁部材と、プリント板に所望の回路構成部品を搭載し配線すると共に、所定の回路部分から、先端にソケットを有するコ−ドを導出してなる点灯回路構体と、カバ−本体の周縁部にフランジ部を有し、絶縁部材のコ−ドブッシングに対応するカバ−本体及びフランジ部に切欠状の開口部を形成すると共に、フランジ部に、器具本体の係止部及びネジ孔に対応するほぼＬ字状の係止片及びネジの挿入孔を形成した金属製のカバ−とを具備し、前記絶縁部材に点灯回路構体を支持手段を利用して支持すると共に、コ−ドをコ−ドブッシングを介して導出し、この絶縁部材を器具本体に、係止爪がスリットに挿入・係止されるように配置し、カバ−を絶縁部材に、係止片が係止部に係止されると共に、開口部にてコ−ドブッシングがほぼ囲繞されるように配置し、さらにネジをカバ−，絶縁部材の挿入孔を介して器具本体のネジ孔に螺入してカバ−，絶縁部材を器具本体に固定したことを特徴とする照明器具。
【請求項３】
前記コ−ドブッシングを、絶縁部材の周縁部に対向して立設し、かつ先端にコ−ドのガイド部を有する一対のコ−ド保護片にて構成したことを特徴とする請求項１又は２に記載の照明器具。
【請求項４】
前記コ−ドブッシングのコ−ド保護片のガイド部を、ほぼヘ字状，半円状，Ｕ字状，Ｌ字状のいずれかの形状に構成したことを特徴とする請求項３に記載の照明器具。
【発明の詳細な説明】
【０００１】
【発明の属する技術分野】
本発明は照明器具に関し、特に、高周波電圧を発生する点灯回路構体を器具本体に絶縁部材を介して配置した環形蛍光ランプ用の直付形照明器具の改良に関する。
【０００２】
【従来の技術】
従来のこの種照明器具は、例えば図１１〜図２０に示すように構成されている。同図において、１は、例えば天井面Ｓに固定された円形状の器具本体であって、それの周縁部分には下側に向けてほぼＬ形に折り曲げた屈曲部１ａが、周縁部を除く適宜の部分には絞り加工によるテ−パ部１ｂが、テ−パ部１ｂの適宜の部分に孔がそれぞれ形成されている。この孔に対向する器具本体部分にはプルスイッチＰＳが配置されている。又、天井面Ｓに対向する側の器具本体１の周縁部分には、例えば天井面側に向けてほぼ半筒状に押し出し加工された一対の係止部２，２が、開口部が対向するように形成されている。この係止部２，２の間には天井面側に向けてほぼコ字状に押し出し加工され、押し出し部に係止部２，２側に開口するスリットを有するストッパ−部３が配置されている。この係止部２，２にはＶ形バネ４が、それの係止脚部４ａの先端に外側に向けてＬ形に屈曲された係止部を挿入・係止し、ストッパ−部３によってＶ形バネ４が係止部２，２から脱却されないように構成されている。尚、プルスイッチＰＳからの引紐５はテ−パ部１ｂの孔から器具本体１の天井面側を経由してＶ形バネ４のリング部４ｂを介して垂下されている。
【０００３】
又、器具本体１の屈曲部１ａに隣接する周縁部分には後述するグロ−ブの簡易脱着手段６，６が配置されている。この簡易脱着手段６は、例えば所定の間隔に配置され、かつ外側部分にテ−パ部７ａ，７ａを有する一対のグロ−ブ固定爪７，７と、グロ−ブ固定爪７，７を連結するベ−ス板８と、このベ−ス板８から直角方向に延びるロッド９と、器具本体１の周縁部分にほぼ１８０°の間隔で固定されたケ−ス１０と、ケ−ス１０の内部にロッド９と共に、グロ−ブ固定爪７が器具本体１の径方向の外側に向けて付勢されるように配置されたバネ１１とから構成されている。このグロ−ブの簡易脱着手段６，６の中間部分における器具本体部分にはガイド板１２，１２が配置されている。さらに、器具本体１の中央部分には環径の異なる第１，第２の環形蛍光ランプ１３ａ，１３ｂが配置されている。そして、器具本体１には簡易脱着手段６及びガイド板１２を利用して透光性を有するグロ−ブ１４が装着されている。このグロ−ブ１４は、例えば器具本体１及び環形蛍光ランプ１３ａ，１３ｂが被覆される形状に形成されており、その上端には立上がり部１５が形成されている。特に、立上がり部１５の対向する部分には内側に突出する彎曲部１６，１６が一体的に形成されている。
【０００４】
さらに、器具本体１の所定部分には底の浅い凹部１ｃが天井面側に向けて形成されており、この凹部１ｃ部分には絶縁部材２０，点灯回路構体３０，金属製のカバ−４０が配置されている。この絶縁部材２０は、例えばポリプロピレン樹脂などのように絶縁性に優れた樹脂材にて構成されており、周縁部にはフランジ部２０ａが、周縁部を除く部分には底の浅い凹部２０ｂが形成されている。そして、フランジ部２０ａにはネジの挿入孔２１が、凹部２０ｂには複数のガイドピン２２と先端に係止部を有する複数の係止爪２３が一体的に形成されている。この絶縁部材２０には点灯回路構体３０が、ガイドピン２２と係止爪２３とからなる支持手段によって支持されている。尚、この支持手段はガイドピン２２，係止爪２３に制約されることなく、他の構成を採用することもできる。
【０００５】
点灯回路構体３０は、例えば図１９〜図２０に示すように第１，第２の環形蛍光ランプ１３ａ，１３ｂを点灯させる第１，第２のインバ−タ回路ＩＮＶ１，ＩＮＶ２よりなるインバ−タ回路ＩＮＶにて構成されており、両インバ−タ回路は基本的にはほぼ同様に構成されている。例えば第１のインバ−タ回路ＩＮＶ１は、交流を直流に変換する変換手段ＲＥＣと、変換手段ＲＥＣに並列接続されたコンデンサＣ１と、一次コイルＴＲａ，ＴＲｂと二次コイルＴＲｃと駆動コイルＴＲｄとを有する発振トランスＴＲと、変換手段ＲＥＣと発振トランスＴＲの一次コイルＴＲａ，ＴＲｂの中点との間に接続されたチョ−クコイルＣＨと、発振トランスＴＲの一次コイルＴＲａ，ＴＲｂに接続されたトランジスタＱａ，Ｑｂと、発振コンデンサＣ２と、トランジスタＱａ，Ｑｂのベ−スに接続された抵抗Ｒ１，Ｒ２とから構成されている。尚、発振トランスＴＲの二次コイルＴＲｃには環形蛍光ランプが、コネクタ，コ−ド，ソケットを介して接続されている。
【０００６】
このインバ−タ回路ＩＮＶにはプルスイッチＰＳを介して交流電力が供給される。このプルスイッチＰＳは、例えば図１９に示すように、回転する可動接片の周辺に固定接点ａ〜ｈを配置して構成されている。例えば可動接片が固定接点ａ，ｅに接触している状態ではインバ−タ回路ＩＮＶに交流電力は供給されない。引紐操作によって、可動接片が固定接点ｂ，ｆに接触すると、インバ−タ回路ＩＮＶ１，ＩＮＶ２には交流電力が供給されて第１，第２の環形蛍光ランプ１３ａ，１３ｂが点灯する。又、可動接片が固定接点ｃ，ｇに接触すると、インバ−タ回路ＩＮＶ２にのみ電力供給される結果、第２の環形蛍光ランプ１３ｂのみが点灯する。さらに、可動接片が固定接点ｄ，ｈに接触すると、第２の環形蛍光ランプ１３ｂが消灯して豆球ＩＬのみが点灯する。
【０００７】
上述の点灯回路構体３０は、例えば所定の回路構成部品を搭載して配線されたプリント板３１と、プリント板３１の端部に配置され、所定の回路部分に接続されたコネクタ３２ａ，３２ｂと、コネクタ３２ａ，３２ｂに結合されるコネクタ３３ａ，３３ｂと、コネクタ３３ａ，３３ｂから導出されるコ−ド３４，３４と、コ−ド３４，３４の導出端に接続された環形蛍光ランプ用のソケットＳＫａ，ＳＫｂとから構成されている。尚、プリント板３１には絶縁部材２０のガイドピン２２及び係止爪２３に対応する部分にガイド孔３５及び係止孔３６が形成されている。
【０００８】
カバ−４０は、例えば点灯回路構体３０を被覆し得るサイズのカバ−本体４１と、カバ−本体４１の周縁部に一体的に形成されたフランジ部４２とから構成されている。そして、カバ−本体４１の側面４１ａにはソケットＳＫａ，ＳＫｂ及びコ−ド３４，３４を導出するための開口部４３が、フランジ部４２には器具本体１のネジ孔（図示せず）及び絶縁部材２０の挿入孔２１に対応するネジの挿入孔４４がそれぞれ形成されている。尚、カバ−本体４１には試験指が入らない程度の放熱孔（図示せず）が複数形成されている。特に、カバ−４０の開口部４３には柔軟性を有するゴム，樹脂などにて構成されたコ−ドブッシング５０が装着され、それの挿通孔５１を介してコ−ド３４がカバ−外に導出されている。そして、カバ−４０，絶縁部材２０は器具本体１に、ネジを挿入孔４４，２１からネジ孔に螺入することによって固定され、それぞれのソケットＳＫａ，ＳＫｂは環形蛍光ランプ１３ａ，１３ｂの口金（図示せず）に装着されている。
【０００９】
このように構成された照明器具において、グロ−ブ１４は器具本体１に次のようにして取り付けられる。まず、図２１（ａ）に示すように、グロ−ブ１４の彎曲部１６が簡易脱着手段６に対応しないように位置させた後に、グロ−ブ１４を、それの立上がり部１５がグロ−ブ固定爪７のテ−パ部７ａに押し当てられるようにして図示矢印（右側の矢印）のように持ち上げると、グロ−ブ固定爪７はバネ１１に抗して図示矢印（左側の矢印）の方向に後退する。そして、立上がり部１５がテ−パ部７ａを通過すると、同図（ｂ）に示すように、グロ−ブ固定爪７はバネ１１によって前進し、その結果、グロ−ブ固定爪７の上面にはグロ−ブ１４の係止部１４ａが載置される。これによって、グロ−ブ１４の器具本体１への取り付けが終了する。尚、グロ−ブ１４の器具本体１からの取り外しは、グロ−ブ１４を回転させながら彎曲部１６をグロ−ブ固定爪７，７の間に強制的に位置させると、ベ−ス板８が彎曲部１６によって押されて後退する結果、グロ−ブ１４の係止部１４ａがグロ−ブ固定爪７からの係止が開放され、取り外すことができる。
【００１０】
【発明が解決しようとする課題】
ところで、この照明器具において、点灯回路構体部分の組み立ては、例えば次のように行われている。まず、図１５，図１８に示すように、絶縁部材２０に点灯回路構体３０を、ガイドピン２２，２２をガイド孔３５，３５に挿入すると共に、４つの係止爪２３を４つの係止孔３６に挿入・係止することによって支持する。そして、点灯回路構体３０のピンコネクタ３２ａ，３２ｂに、先端にコ−ド３４，３４を介してソケットＳＫａ，ＳＫｂを有するコネクタ３３ａ，３３ｂを結合させる。次に、コ−ドブッシング５０，５０にコ−ド３４，３４を、それの挿通孔５１，５１にそれぞれのソケットＳＫａ，ＳＫｂを挿通することによって挿通する。次に、点灯回路構体３０を搭載・支持した絶縁部材２０を器具本体１に、器具本体１の凹部１ｃに絶縁部材２０の凹部２０ｂが挿入されるように配置する。次に、それぞれのソケットＳＫａ，ＳＫｂをカバ−４０の開口部４３，４３に、内側から外側に向けて挿入すると共に、コ−ドブッシング５０，５０も開口部４３，４３に挿入して装着する。そして、カバ−４０を絶縁部材２０に、点灯回路構体３０が覆われ、かつ挿入孔４４が挿入孔２１に合致するように配置する。この状態において、ネジを挿入孔４４，挿入孔２１を介して器具本体１のネジ孔に螺入することによって組み立てを完了する。
【００１１】
この構成によれば、カバ−４０の開口部４３を介して導出されるコ−ド３４はコ−ドブッシング５０によって保護されているために、開口部４３の周縁部に加工時のバリなどが存在していても、それによる損傷を皆無にできる。しかも、点灯回路構体３０と器具本体１との間には絶縁部材２０が介在されているために、プリント板３１の裏面側に回路構成部品とプリント配線との接続部が露呈していても、点灯回路構体３０と器具本体１との電気的絶縁性を十分に保持することができる。さらに、点灯回路構体３０はカバ−４０にて覆われているために、手を触れることがなく、感電などを確実に防止することができるなどの優れた効果が得られるものである。
【００１２】
しかしながら、点灯回路構体部分の組立工程では、コ−ドブッシング５０の挿通孔５１にソケットＳＫａ（ＳＫｂ）を挿通させた上で、ソケットＳＫａ（ＳＫｂ）をカバ−４０の開口部４３に内側から外側に向けて挿通し、その上で、コ−ドブッシング５０を開口部４３に装着しなければならないために、組立作業が煩雑になり、作業能率が損なわれるという問題がある。
【００１３】
又、絶縁部材２０及びカバ−４０は器具本体１に４本のネジを利用して固定されている上に、複数のコ−ドブッシング５０を準備しなければならないことから部品点数が増加し、組立作業，在庫管理が煩雑になる上、器具コストも高くなるという問題もある。
【００１４】
それ故に、本発明の目的は、絶縁部材にコ−ドブッシングを一体化することによって、点灯回路構体部分の組み立てを容易化できる上、作業性をも改善できる照明器具を提供することにある。
【００１５】
【課題を解決するための手段】
従って、本発明は上述の目的を達成するために、プリント板に所望の回路構成部品を搭載し配線してなる点灯回路構体を器具本体に、絶縁部材を介して配置すると共に、点灯回路構体を金属製のカバ−にて覆い、かつ少なくとも点灯回路構体から蛍光ランプに接続されるコ−ドをカバ−のコ−ド導出用の開口部を介して導出した照明器具において、前記絶縁部材の周縁部にコ−ドブッシングを一体的に形成すると共に、コ−ドブッシングに対応するカバ−部分に切欠状の開口部を形成してなり、コ−ドをコ−ドブッシングを介して導出すると共に、カバ−による点灯回路構体の被覆状態においてコ−ドブッシングをカバ−の開口部にてほぼ囲繞することを特徴とする。
【００１６】
又、本発明の第２の発明は、所定部分に底の浅い凹部を形成し、この凹部に隣接する平坦な部分に切起状の係止部とスリットとを互いに離隔して形成すると共に、凹部に隣接し、かつ係止部，スリットの形成されていない部分にネジ孔を形成した器具本体と、器具本体の凹部と同等ないしそれより小さい目で底の浅い凹部の周縁部にフランジ部を形成すると共に、凹部に支持手段を、フランジ部に一対のコ−ド保護片よりなるコ−ドブッシングをそれぞれ一体的に形成し、かつフランジ部に、器具本体のスリット及びネジ孔に対応するほぼＬ字状の係止爪及びネジの挿入孔を形成した絶縁部材と、プリント板に所望の回路構成部品を搭載し配線すると共に、所定の回路部分から、先端にソケットを有するコ−ドを導出してなる点灯回路構体と、カバ−本体の周縁部にフランジ部を有し、絶縁部材のコ−ドブッシングに対応するカバ−本体及びフランジ部に切欠状の開口部を形成すると共に、フランジ部に、器具本体の係止部及びネジ孔に対応するほぼＬ字状の係止片及びネジの挿入孔を形成した金属製のカバ−とを具備し、前記絶縁部材に点灯回路構体を支持手段を利用して支持すると共に、コ−ドをコ−ドブッシングを介して導出し、この絶縁部材を器具本体に、係止爪がスリットに挿入・係止されるように配置し、カバ−を絶縁部材に、係止片が係止部に係止されると共に、開口部にてコ−ドブッシングがほぼ囲繞されるように配置し、さらにネジをカバ−，絶縁部材の挿入孔を介して器具本体のネジ孔に螺入してカバ−，絶縁部材を器具本体に固定したことを特徴とする。
【００１７】
さらに、本発明の第３の発明は、前記コ−ドブッシングを、絶縁部材の周縁部に対向して立設し、かつ先端にコ−ドのガイド部を有する一対のコ−ド保護片にて構成したことを特徴とし、第４の発明は、前記コ−ドブッシングのコ−ド保護片のガイド部を、ほぼヘ字状，半円状，Ｕ字状，Ｌ字状のいずれかの形状に構成したことを特徴とする。
【００１８】
【発明の実施の形態】
次に、本発明にかかる天井直付形の照明器具の一実施例について図１〜図８を参照して説明する。尚、図１１〜図２１に示す従来例と同一部分には同一の参照符号を付し、その詳細な説明を省略する。同図において、１Ａは、例えば天井面Ｓに固定された円形状の器具本体であって、それの周縁部分には下側に向けてほぼＬ形に折り曲げた屈曲部１ａが、周縁部を除く適宜の部分には絞り加工によるテ−パ部１ｂが、テ−パ部１ｂの内側の適宜の部分には天井面側に向けて突出する底の浅い凹部１ｃがそれぞれ形成されている。特に、凹部１ｃに隣接する一方の側における平坦な器具本体部分には切り起こしによるほぼＬ字状の係止部１ｄ及び角形のスリット１ｅ，１ｅが互いに離隔して形成されており、一方の側に対向する他方の側における平坦な器具本体部分には複数のネジ孔１ｆ，１ｆが形成されている。尚、ネジ孔１ｆ，１ｆは一方の側に隣接する辺に形成することもできるし、その数も１個にすることも可能である。
【００１９】
上述の器具本体１Ａの凹部１ｃにはポリプロピレンなどのように絶縁性に優れた樹脂材よりなる絶縁部材２０Ａが配置されている。この絶縁部材２０Ａは、例えば器具本体１Ａの凹部１ｃに隣接する周縁部の平坦部分に載置されるフランジ部２０ａと、このフランジ部２０ａに連続する底の浅い凹部２０ｂと、器具本体１Ａのネジ孔１ｆ，１ｆに対応するようにフランジ部２０ａに形成された複数のネジの挿入孔２１，２１と、凹部２０ｂの中央部分に互いに離隔して一体的に形成された複数のガイドピン２２，２２と、凹部２０ｂの四隅部分に分散して一体的に形成された複数の係止爪２３，２３，２３，２３と、挿入孔２１，２１の形成されたフランジ部２０ａに対向するフランジ部２０ａの周縁部に、器具本体１Ａのスリット１ｅ，１ｅに対応するように一体的に形成されたほぼＬ字状の複数の係止爪２４，２４と、挿入孔２１，２１の形成されたフランジ部２０ａに隣接するそれぞれのフランジ部２０ａに一体的に形成された複数のコ−ドブッシング２５，２５とから構成されている。尚、ガイドピン２２及び係止爪２３にて支持手段を構成している。
【００２０】
特に、コ−ドブッシング２５，２５は、例えばフランジ部２０ａに対してほぼ垂直に立設され、かつ対向する一対のコ−ド保護片２６，２６と、一対のコ−ド保護片２６，２６の基部部分に一体的に形成された補強片２７とから構成されており、対向するコ−ド保護片２６，２６の間にはコ−ド３４を収納し得るコ−ド収納部２８が形成されている。尚、コ−ド保護片２６，２６の先端にはコ−ド３４をコ−ド収納部２８に容易に収納させるために、ほぼヘ字状のガイド部が互いに対向するように形成されているが、例えば半円状，Ｕ字状，Ｌ字状の形状に構成することもできる。
【００２１】
又、この絶縁部材２０Ａに支持手段を利用して支持される点灯回路構体３０は金属製のカバ−４０Ａにて覆われている。このカバ−４０Ａは、例えば化粧鋼板にて加工されており、例えば器具本体１Ａの凹部１ｃより底の深い凹部を有するカバ−本体４１と、カバ−本体４１の周縁部に、絶縁部材２０Ａのフランジ部２０ａに対応するように一体的に形成されたフランジ部４２と、カバ−本体４１の適宜の側面４１ａからフランジ部４２に跨がるように形成された複数の切欠状の開口部４３Ａ，４３Ａと、器具本体１Ａのネジ孔１ｆ，１ｆに対応するようにフランジ部４２に形成された複数の挿入孔４４，４４と、挿入孔４４，４４の形成されたフランジ部４２に対向するフランジ部４２の周縁部に、器具本体１Ａの係止部１ｄに対応するように一体的に形成されたほぼＬ字状の係止片４５とから構成されている。尚、特に、側面４１ａにおける開口部４３Ａは絶縁部材２０Ａにおけるコ−ドブッシング２５の外形形状にほぼ合致するように形成されており、開口部４３Ａにてコ−ドブッシング２５を囲繞した状態において、コ−ド保護片２６，２６が不用意に拡開されないように構成されている。
【００２２】
次に、点灯回路構体部分の組立方法について説明する。まず、図７に示すように、絶縁部材２０Ａの上方に位置する点灯回路構体３０を下降させ、ガイドピン２２，２２をガイド孔３５，３５に挿入し、絶縁部材２０Ａに対する点灯回路構体３０の組立位置を決定する。この状態で、さらに点灯回路構体３０を下降させると、点灯回路構体３０の４つの係止孔３６には絶縁部材２０Ａの４つの係止爪２３が挿入され、係止される。そして、コネクタ３３ａ，３３ｂを点灯回路構体３０のピンコネクタ３２ａ，３２ｂに結合する。
【００２３】
次に、点灯回路構体３０を搭載した絶縁部材２０Ａを器具本体１Ａの凹部部分（１ｃ）に仮配置する。即ち、図４に示すように、絶縁部材２０Ａの係止爪２４，２４を器具本体１Ａのスリット１ｅ，１ｅに挿入・係止すると共に、フランジ部２０ａが器具本体１Ａの凹部１ｃに隣接する平坦な器具本体部分に載置されるように凹部２０ｂを凹部１ｃに収容する。尚、ピンコネクタ３２ａ，３２ｂとコネクタ３３ａ，３３ｂとの結合は絶縁部材２０Ａに点灯回路構体３０を組み込む前ないし絶縁部材２０Ａを器具本体１Ａに仮配置した後に行うこともできる。
【００２４】
次に、図８に示すように、コ−ド３４，３４を絶縁部材２０Ａにおけるコ−ドブッシング２５，２５のコ−ド収納部２８，２８に収納する。具体的には、コ−ド３４をコ−ド保護片２６，２６のヘ字状のガイド部を位置させた後に、コ−ド３４を下方に押し下げると、コ−ド保護片２６，２６は外方に変形（拡開）される結果、コ−ド３４はコ−ド収納部２８に収納される。収納後は、コ−ド保護片２６，２６が原形に復帰するために、コ−ド３４がガイド部を介してコ−ド収納部２８から脱却されることはない。
【００２５】
次いで、この状態において、カバ−４０Ａを絶縁部材２０Ａに、点灯回路構体３０が覆われるように配置する。具体的には、図１〜図３に示すように、まず、カバ−４０Ａを器具本体１Ａに対して斜めの状態にした上で、カバ−４０Ａの係止片４５を器具本体１Ａの係止部１ｄに挿入・係止し、その後、係止状態を維持しながら、カバ−４０Ａを器具本体１Ａに平行となるように回転させる。この際に、開口部４３Ａ，４３Ａにはコ−ドブッシング２５，２５が収容される。この状態において、ネジ６０，６０をカバ−４０Ａの挿入孔４４，４４から絶縁部材２０Ａの挿入孔２１，２１を介して器具本体１Ａのネジ孔１ｆ，１ｆに螺入することによって組み立てが完了する。
【００２６】
この実施例によれば、絶縁部材２０Ａのフランジ部２０ａにはコ−ドブッシング２５，２５が一体的に形成されているために、絶縁部材２０Ａにカバ−４０Ａを、絶縁部材２０Ａに搭載・支持された点灯回路構体３０を覆うように配置する際に、カバ−４０Ａの開口部４３Ａにてコ−ドブッシング２５が自動的に囲繞される。従って、従来のように別体のコ−ドブッシングをカバ−に装着するという作業を完全に省略できる関係で、組立作業を能率的に遂行することができる。
【００２７】
又、コ−ドブッシング２５におけるコ−ド保護片２６の先端部にはガイド部が形成されている上に、コ−ド保護片２６，２６が補強片２７にて結合されているために、ガイド部にコ−ド３４を位置させて押圧するのみでコ−ド３４をコ−ド収納部２８に簡単かつ容易に収納させることができる上、コ−ド３４のコ−ド収納部２８への収納の際におけるコ−ド保護片２６，２６の損傷を防止できる。
【００２８】
しかも、コ−ドブッシング２５は絶縁部材２０Ａのフランジ部２０ａに一体的に形成されているために、部品点数が１つになり、在庫管理の容易化は勿論のこと、コストをも低減できる。
【００２９】
又、絶縁部材２０Ａのフランジ部２０ａには一対の係止爪２４，２４が形成されていることから、器具本体１Ａへの仮配置の際に、係止爪２４，２４が器具本体１Ａのスリット１ｅ，１ｅに挿入・係止されるために、カバ−４０Ａの装着時に絶縁部材２０Ａが位置ずれしない。従って、カバ−４０Ａの仮配置を容易に行うことができる。
【００３０】
又、カバ−４０Ａのフランジ部４２には係止爪４５が形成されており、この係止爪４５が器具本体１Ａの係止部１ｄに位置決めされた状態で係止されているために、単に係止爪４５を係止部１ｄに係止するだけで、カバ−４０Ａの器具本体１Ａに対する位置関係を所定の位置関係に設定できる。従って、上述の構成と相俟って組立性を改善できる。その上、仮に、絶縁部材２０Ａの係止爪２４，２４が折損したとしても、器具本体１Ａから脱落することはなく、常に十分の安全性を維持することができる。
【００３１】
さらには、カバ−４０Ａ，絶縁部材２０Ａの器具本体１Ａへの固定には係止爪４５の係止部１ｄへの係止の他に、２つのネジ６０によってネジ止めされているために、従来の４個所に比べて半減でき、組立時の作業性を大幅に改善することができる。
【００３２】
図９〜図１０は本発明にかかる絶縁部材の他の実施例を示すものであって、基本的には上述の実施例の構成と同じである。異なる点は、この絶縁部材２０Ｂのフランジ部２０ａに一対のコ−ド保護片２６，２６が単に立設されていることであり、補強片２７Ａがフランジ部２０ａの一部によって代替されていることである。
【００３３】
この実施例によれば、上述の実施例に比べて絶縁部材２０Ｂの成形型の構造が簡略化されるために、成形コストを低減できる。
【００３４】
尚、本発明は何ら上記実施例にのみ制約されることなく、例えば環形蛍光ランプ用の直付形照明器具の他、直管形蛍光ランプ、コンパクト蛍光ランプなどを使用する直付形照明器具やコ−ドペンダント，パイプペンダント器具にも適用できる。又、器具本体の天井への取り付けは引っ掛けシ−リングなどの接続手段を利用する他、ネジなどによって直接的に取り付けることもできるし、器具本体の形態も円形状の他、矩形状，四角以外の多角形状に構成することもできる。又、点灯回路構体は２石式のインバ−タ回路であるが、１石式など適宜の回路構成とすることもできる。又、絶縁部材に一体化されるコ−ドブッシングの数はカバ−から導出されるコ−ドの数によって決定されるし、その配置場所も導出されるコ−ドの位置などに応じて適宜の部位を選択できる。さらには、絶縁部材の係止爪，カバ−の係止片は省略することもできる。
【００３５】
【発明の効果】
以上のように本発明によれば、絶縁部材の周縁部にはコ−ドブッシングが一体的に形成されているために、絶縁部材にカバ−を、絶縁部材に搭載・支持された点灯回路構体を覆うように配置する際に、カバ−の開口部にてコ−ドブッシングが自動的に囲繞される。従って、従来のように別体のコ−ドブッシングをカバ−に装着するという作業を完全に省略できる関係で、組立作業を能率的に遂行することができる。
【００３６】
又、コ−ドブッシングにおけるコ−ド保護片の先端部にはガイド部が形成されているために、ガイド部にコ−ドを位置させて押圧するのみでコ−ドをコ−ド収納部に簡単かつ容易に収納させることができる。従って、コ−ドのコ−ドブッシングへの収納作業を能率的に行うことができる。
【００３７】
しかも、コ−ドブッシングは絶縁部材の周縁部に一体的に形成されているために、部品点数が１つになり、在庫管理の容易化は勿論のこと、コストをも低減できる。
【図面の簡単な説明】
【図１】本発明にかかる照明器具の第１の実施例を示す点灯回路構体部分の平面図。
【図２】図１のＡ−Ａ断面図。
【図３】図１のＢ−Ｂ断面図。
【図４】図１のＣ−Ｃ断面図。
【図５】本発明にかかる器具本体の要部平面図。
【図６】図５のＤ−Ｄ断面図。
【図７】本発明にかかる点灯回路構体部分を構成する絶縁部材及び点灯回路構体の斜視図。
【図８】組立方法を説明するための絶縁部材及びカバ−の要部の分解斜視図。
【図９】本発明にかかる絶縁部材の他の実施例を示す要部断面図。
【図１０】図９の平面図。
【図１１】従来例にかかる照明器具のグロ−ブ取り外し状態の側断面図。
【図１２】図１１のＥ−Ｅ矢視図。
【図１３】図１９示すグロ−ブの簡易脱着手段の分解斜視図。
【図１４】図１１のＦ−Ｆ矢視図。
【図１５】従来例にかかる点灯回路構体部分の断面図。
【図１６】図１５のＧ−Ｇ断面図。
【図１７】従来例のコ−ドブッシングであって、同図（ａ）は断面図、同図（ｂ）は正面図。
【図１８】従来例にかかる点灯回路構体部分の分解斜視図。
【図１９】図１８に示す点灯回路構体の回路図。
【図２０】図１９に示す点灯回路の具体的回路図。
【図２１】グロ−ブの器具本体への取り付け方法を説明する図であって、同図（ａ）は取り付け途上の状態を示す要部拡大断面図、同図（ｂ）は取付状態を示す要部拡大断面図。
【符号の説明】
Ｓ  天井
ＳＫａ，ＳＫｂ  ソケット
１Ａ  器具本体
１ｃ，２０ｂ  凹部
１ｄ  係止部
１ｅ  スリット
１ｆ  ネジ孔
２０Ａ，２０Ｂ  絶縁部材
２０ａ，４２  フランジ部
２１，４４  挿入孔
２２  ガイドピン（支持手段）
２３  係止爪（支持手段）
２４  係止爪
２５  コ−ドブッシング
２６  コ−ド保護片
２７，２７Ａ  補強片
２８  コ−ド収納部
３０  点灯回路構体
３１  プリント板
３２ａ，３２ｂ，３３ａ，３３ｂ  コネクタ
３４  コ−ド
３５  ガイド孔
３６  係止孔
４０Ａ  カバ−
４１  カバ−本体
４３Ａ  開口部
４５  係止片
６０  ネジ
【図１】
0004048584.tif 000002
【図２】
0004048584.tif 000003
【図３】
0004048584.tif 000004
【図４】
0004048584.tif 000005
【図５】
0004048584.tif 000006
【図６】
0004048584.tif 000007
【図７】
0004048584.tif 000008
【図８】
0004048584.tif 000009
【図９】
0004048584.tif 000010
【図１０】
0004048584.tif 000011
【図１１】
0004048584.tif 000012
【図１２】
0004048584.tif 000013
【図１３】
0004048584.tif 000014
【図１４】
0004048584.tif 000015
【図１５】
0004048584.tif 000016
【図１６】
0004048584.tif 000017
【図１７】
0004048584.tif 000018
【図１８】
0004048584.tif 000019
【図１９】
0004048584.tif 000020
【図２０】
0004048584.tif 000021
【図２１】
0004048584.tif 000022